(57)【特許請求の範囲】
【請求項１】
支持台１０に第１ラック２０と第２ラック３０を装着して、各ラック２０、３０内に新聞を配置する新聞販売什器であって、
第１ラック２０と第２ラック３０は、階段状に配置した複数のラックから形成してあり、
第１ラック２０は、支持台１０の前面に着脱自在であり、第２ラック２０は、その前側下端３８を支持台１０の上部背面１５に着脱自在としてあり、
第１ラック２０と第２ラック３０は、支持台１０に対して前面側から背面側に上向きに連続する階段状に取り付けてあることを特徴とする新聞販売什器。
【請求項２】
支持台１０は、間隔をおいて配置する左右の柱１２、１２と両柱１２、１２の下端から前側に各々延出した両脚１１、１１からＬ字型に形成してあり、両柱１２、１２の前面と、両脚１１、１１の上面と、第１ラック２０の下面との間に第２ラック３０の収納部１０ａを形成してあることを特徴とする請求項１記載の新聞販売什器。
【請求項３】
支持台１０の背面には、左右の柱１２、１２と両柱１２、１２の間に架設した上枠１５及び下枠１６とで囲んだ開口部４０を有していると共に、その開口部４０の幅及び高さは、第２ラック３０の幅及び高さよりも広く形成してあることを特徴とする請求項２記載の新聞販売什器。
【発明の詳細な説明】
【０００１】
【発明の属する技術分野】
本発明は、コンビニ、駅売店等で用いられる新聞販売什器に関する。
【０００２】
【従来の技術】
新聞販売什器は、コンビニエンスストア、駅売店等で日刊新聞、週間新聞等の販売用として配置されるが、現在用いられている新聞販売什器は床に配置される支持台に新聞を配置するラックが固定されている形式のものである。
日刊紙を配置するラックは、毎日利用されるため問題はないが、週間新聞、例えば競馬新聞、つり新聞、囲碁新聞などは発行日が限られるため、発行されない日はその棚が空いてしまい、店の利用上好ましくない状況にある。
また、店員の側から見ても空いているラックをそのままにしておくことは販売作業上、例えば、商品の手渡し、現金の受渡しにおいて邪魔になるという問題がある。
【０００３】
【発明が解決しようとする課題】
したがって、本発明の課題は、上記従来技の不具合を解消することにあり、新聞販売什器において、不必要なラックを取り外し可能とすることにより、販売員の作業を容易にすることと、店の空間利用を効率化することを第１の課題とす  る。
更に、本発明は第２ラックと使用しないときに、第２ラックの収納場所を邪魔にならない位置に確保して売場空間の有効利用を図ることを第２の課題とする。
【０００４】
【課題を解決するための手段】
上記課題を解決するために、請求項１記載の新聞販売什器は、支持台に第１ラックと第２ラックを装着して、各ラック内に新聞を配置する新聞販売什器であって、第１ラックと第２ラックは、階段状に配置した複数のラックから形成してあり、第１ラックは、支持台の前面に着脱自在であり、第２ラックは、その前側下端を支持台の上部背面に着脱自在としてあり、第１ラックと第２ラックは、支持台に対して前面側から背面側に上向きに連続する階段状に取り付けてあることを特徴とする。また請求項２記載の新聞販売什器では、支持台は、間隔をおいて配置する左右の柱と両柱の下端から前側に各々延出した両脚からＬ字型に形成してあり、両柱の前面と、両脚の上面と、第１ラックの下面との間に第２ラックの収納部を形成してあることを特徴とする。請求項３記載の新聞販売什器は、支持台の背面には、左右の柱と両柱の間に架設した上枠及び下枠とで囲んだ開口部を有していると共に、その開口部の幅及び高さは、第２ラックの幅及び高さよりも広く形成してある。
【０００５】
【発明の実施の態様】
本発明の実施例を添付した図面に従って説明する。
発明の実施例に係る新聞販売什器は、大別して、支持台１０、第１ラック２０及び第２ラック３０の部分から成る。
支持台１０は、図２、３及び図５に示すように、左右の脚１１，１１及び柱１２，１２とからなり側面視Ｌ字型に形成する。各脚１１，１１は水平に配置し、下方にはキャスタ受け１３，１３を介して移動用のキャスタ１４，１４が設けてある。各脚１１，１１のそれぞれの一側には柱１２，１２を垂直に立設し、両柱１２，１２間には、上枠１５と下枠１６とを架設し、もって、両柱１２，１２は上枠１５と下枠１６とによって一体に形成する。
【０００６】
脚１１，１１の他端側は脚キャップ１７，１７を設け、脚１１，１１の端部を塞いでいる。各柱１２は水平断面長方形状に形成し、その４つの側面の内、脚１１の延出側面に上下に亘って、多数の長方形状の係止スリット１８・・・が等間隔で穿設してある。また、各柱１２の上端には柱キャップ１９を嵌合する。
通常、上記支持台１０の脚１１及び柱１２は、全体としてアルミ合金を素材とし、キャップはＡＢＳ樹脂等で形成するが他の素材を用いても良い。
【０００７】
第１ラック２０は主として日刊新聞を配置するもので、図４に示すように全体として塗装又は樹脂コーティングした金属丸棒を素材として直方体のカゴ状に形成する。実施例では横方向に長い長方体形状のカゴ網体からなり、４段ラック２１〜２４として形成し、それぞれ３つの部分に区分してある。４段の各ラック２１〜２４は、横丸棒２５，縦丸棒２６、支持丸棒２７及び区分丸棒２８とからなり、階段状に一体に形成する。
【０００８】
また、最下部の一段目のラック２１の下部と最上部の４段目のラック２４の下部との間には、それらの両側部に取付枠体２９、２９を付設する。該取付枠体２９，２９は、支持台１０の脚１１の上面及び柱１２の側面に沿って取り付けるものであり、従ってそれらの形状と略同一のＬ字型に形成する。
そして、取付枠体２９，２９の鉛直枠２９ｂ側には前記上枠１５、及び下枠１６に係合す係止片２９ｃ、２９ｃを取り付ける。従って、水平枠２９ａを脚１１上に載置した状態で、この係止片２９ｃ、２９ｃを上枠１５及び下枠１６に係止することで支持台１０に第１ラック２０を一体的に装着させることができる。第１ラック２０の各段のラック２１〜２４には多くの種類の折り畳んだ日刊紙を重ね合わせて配置する。なお、各水平枠２９ａには、クッション材２９、２９を付設し第１ラック２０の支持を安定させている。
【０００９】
支持台１０の上部には、第２ラック３０を必要に応じて取り付ける。第２ラック３０は基本的には第１ラック２０と同一構成である。しかし、通常日刊紙より頁数が少なく、かつ紙面も小型であるため、全体として小型に形成する。
しかしながら、階段状の４段のラック３１〜３４で形成されていること、各ラックは横丸棒３５，縦丸棒３６及び支持丸棒３７により形成する点は、第１ラック２０と同じである。但し、区分丸棒は設けていない。
第２ラック３０には、第１ラック２０と同様に支持台１０に取り付けるための係止片３８，３９を設ける。即ち、第３図に示すように、第１段目のラック３１の下面には第１係止片３８を、第４段目のラック３４の下面には第２係止片３９をそれぞれ取り付ける。
【００１０】
両係止片３８，３９共、下方に突出部をもつ逆Ｌ型アングル材で形成する。そして、図３，４図に示すように、支持台１０の上部に装着するときは、第１係止片３８を上枠１４に係合させる。この状態において週刊紙等を配置することができる。
第２ラック３０を必要としないときは、図２に示すように第２ラック３０を上枠１５から取り外して矢印に示すように移動させ、図３に示すように、第２係止片３９を下枠１６に係止することによって支持台１０に収納することになる。支持台１０に収納されている第２ラック３０を取り出すときは、上記の手順とは逆の操作をすればよい。
【００１１】
上記実施例の新聞販売什器によれば、支持台に対して日刊紙用の第１ラック２０と競馬新聞等の週刊紙用の第２のラック３０を支持台１０に対して着脱自在としたことで、不必要なラックを取り外すことができ、狭い店内空間が利用し易くなり、店員も商品の受け渡し等が容易になる。
支持台１０には第２ラックの不使用時の収納部を設けたことにより、取り外した第２ラックが邪魔になるという不都合はない。第２ラックには仕切が設けてないから、週刊誌の種類が多少増減しても適宜の部数を配置することができる。
また、支持台１０にはキャスタを設けたことから、狭い店内から新聞販売什器全体を移動させることができ、ラックに新聞を多層に積み重ねる作業を広い空間ですることができ作業を効率化することができる。
なお、本発明は上記実施例に限定されることない。例えば、支持台は店の立上り壁でもよく、天井から吊り下げた支持体であってもよい。
【００１２】
ラックの段数は適宜選択できるものとし、各段のラックの形は直方体にとらわれることなく、例えば、水平断面長楕円形状等であってもよい。また、ラックは金属丸棒に依らず、合成樹脂棒、金属ネット等により形成してしても良い。
更に、上記実施例では、第２ラックは不要時に取り外して第１ラックの下方に収納するようにしたが、取り外すことなく、第２ラックの下端部近傍において支持台１０に軸着しておき、単に回転させるだけで第１ラックの下方に収納するようにしてもよい。
なお、特許請求の範囲には図面符号を付したが、本発明はこれに限定されるものではない。
【００１３】
【発明の効果】
本発明は、上記構成により下記の効果を奏する。１．請求項１に記載の発明によれば、不必要なラックを取り外すことができるから、店内の空間を有効利用でき、店員が作業し易くなり、空きラックもないから商品のレイアウト上好ましい。２．請求項２記載の発明によれば、第２ラックの収納部を設けることによって取り外した第２ラックが店員の作業に邪魔になるという不都合はない。３．請求項３記載の発明によれば、支持台の背面にある開口部から第２ラックを収納部に入れられるので、第２ラックが不要なときには、支持台に第１ラックを取り付けたまま収納部に片付けることができる。
【図面の簡単な説明】
【図１】本発明の実施例の概略斜視図。
【図２】同実施例の全体の部分斜視図
【図３】同実施例の側面図。
【図４】同実施例の正面図。
【図５】同実施例の支持台の側面図。
【図６】同実施例の支持台の正面図。
【図７】図６Ａ−Ａ線の断面図。
【図８】同実施例の第１ラックの側面図。
【図９】同実施例の第２ラックの側面図。
【符号の説明】
１０・・支持台
１１・・脚
１２・・柱
１３・・キャスタ受け
１４・・キャスタ
１５・・上枠
１６・・下枠
１７・・脚キャップ
１８・・係止スリット
１９・・柱キャップ
２０・・第１ラック（日刊紙ラック）
２１・・１段目のラック
２２・・２段目のラック
２３・・３段目のラック
２４・・４段目のラック
２５・・横丸棒
２６・・縦丸棒
２７・・支持丸棒
２８・・区分丸棒
２９・・取付枠体
２９ａ・・水平枠
２９ｂ・・鉛直枠
２９ｃ・・係止片
２９ｄ・・クッション材
３０・・第２ラック（週刊紙ラック）
３１・・第１段のラック
３２・・第２段のラック
３３・・第３段のラック
３４・・第４段のラック
３５・・横丸棒
３６・・縦丸棒
３７・・支持丸棒
３８・・第１係止片
３９・・第２係止片
【図１】
0004060422.tif 000002
【図２】
0004060422.tif 000003
【図３】
0004060422.tif 000004
【図４】
0004060422.tif 000005
【図５】
0004060422.tif 000006
【図６】
0004060422.tif 000007
【図７】
0004060422.tif 000008
【図８】
0004060422.tif 000009
【図９】
0004060422.tif 000010